(57)【要約】      （修正有）【課題】商品陳列スペースを削減するとともに、輸送コストを抑えることができ、商品を整列させることが容易な食品用容器のフタを提供する。【解決手段】食品用容器のフタ１は、円形の開口を有する食品用容器のフタであって、食品用容器の開口の縁と係合する円形の側縁５と、側縁５に連なり、側縁５の外周５Aにおける、ある点P1の接線である第１接線L1上で延びる辺１１を有する鍔部と、を備え、鍔部は、第１接線L1と直交し、側縁５の外周５Aにおける、その他の点P2とP3の接線である第２接線L2及び第３接線L3の間に形成されている。【選択図】図１
2015044597.tif 000002
【特許請求の範囲】
【請求項１】
円形の開口を有する食品用容器のフタであって、前記食品用容器の前記開口の縁と係合する円形の側縁と、前記側縁に連なり、前記側縁の外周における、ある点の接線である第１接線上で延びる辺を有する鍔部と、を備え、前記鍔部は、前記第１接線と直交し、前記側縁の前記外周における、その他の点の接線である第２接線及び第３接線の間に形成されている食品用容器のフタ  。
【請求項２】
前記鍔部は、前記辺が互いに対向し並行して延びる一対で設けられている請求項１に記載の食品用容器のフタ。
【請求項３】
一対の前記鍔部のうち、一方の前記鍔部の前記辺から突出し、前記食品用容器の外周に沿った形状の欠き込みが形成された突起と、一対の前記鍔部のうち、他方の前記鍔部の前記辺には、前記突起が挿入される孔が形成されている請求項２に記載の食品用容器のフタ。
【請求項４】
前記食品用容器の底部に形成された食品用容器脚部が係合し、円形状に形成された溝を備える請求項１から３のいずれかに記載の食品用容器のフタ。
【発明の詳細な説明】
【技術分野】
【０００１】
この発明は、食品用容器のフタに関し、より詳しくは、円形の開口を有する食品用容器のフタに関する。
【背景技術】
【０００２】
従来、包装用容器のうち、紙または合成樹脂製の包装用容器特に合成樹脂製のアイスクリーム、ヨーグルト等の食品を収容する包装用容器は、合成樹脂製又は紙製の容器本体と、合成樹脂製の蓋からなり、蓋は合成樹脂製シート部材を材料として金型による成形によって形成されている。上記蓋は、成形にて作成されるので、印刷により蓋の表面に品名、種類等の表示を好適に行うことができる。
【０００３】
例えば、特許文献１には、平板状部の外周がアイスクリームを収容する半球状凸部の外周より離れた位置に形成されているアイスクリーム容器が提案されている。
【先行技術文献】
【特許文献】
【０００４】
【特許文献１】特開平９−２５６２号公報
【発明の概要】
【発明が解決しようとする課題】
【０００５】
しかしながら、特許文献１に記載されたアイスクリーム容器は、平板状部の外周がアイスクリームを収容する半球状凸部の外周より離れた位置に形成されているので、アイスクリーム容器を複数個並べた場合、アイスクリーム容器間にムダなスペースができていた。このため、販売時の商品陳列にスペースをとり、梱包時のダンボールが大きくなることから輸送コストもかさんでいた。
【０００６】
したがって、商品陳列スペースを削減するとともに、輸送コストを抑えることができ、商品を整列させることが容易な食品用容器のフタを提供する。
【課題を解決するための手段】
【０００７】
（１）円形の開口を有する食品用容器のフタであって、前記食品用容器の前記開口の縁と係合する円形の側縁と、前記側縁に連なり、前記側縁の外周における、ある点の接線である第１接線上で延びる辺を有する鍔部と、を備え、前記鍔部は、前記第１接線と直交し、前記側縁の前記外周における、その他の点の接線である第２接線及び第３接線の間に形成されている食品用容器のフタ  。
【０００８】
（１）の構成によれば、商品陳列スペースを削減するとともに、輸送コストを抑えることができ、商品を整列させることが容易な食品用容器のフタを提供できる。
【０００９】
ところで、アイスクリーム・ヨーグルト等円形の容器・フタからなる商品は手に取り、出し入れするうちに商品が回転してしまい商品名が正面を向かず、冷凍・冷蔵庫内で霜がつくなど特にパッケージデザインの類似している商品は種類を判別しにくいことから販売のチャンスロスが多発していた（商品投入後、時間の経過とともに陳列が乱れるが冷凍・冷蔵保存商品のため長時間冷凍・冷蔵庫を解放しての商品整理が難しく複数種類が混同したままとなる。結果顧客は売れ筋商品の必要個数を目視・確保できなくなり販売のチャンスロスとなる）。
【００１０】
また、（１）の構成によれば、円形の開口を有する食品用容器のフタの側縁において、直線形状の辺を形成したので、フタの下辺をあわせて正面に向けると商品のフェイスがそろうため店頭での商品陳列が容易となる。また、上辺にもうけた直線とＺ軸で連なる商品の下辺とをぴったりあわせて陳列すると商品が回転しなくなり恒常的に商品のフェイスを正面に向けられる。これによって商品整理が不要となり、販売のチャンスロスを回避できる。また、フタ表面の下端部左右に角が形成され、この角をつまむことでフタが開けやすくなる。また、フタには直線の一辺または二辺を持たせる。同じ製造ラインで別の商品をつくる可能性もあるため、カップの形状は変更せずフタの形状のみを変更、設備投資にかかるコストを抑えることができる。
【００１１】
また、（１）の構成によれば、商品を選ぶ時間が短縮され冷凍庫や冷蔵庫の省エネになる。更には、当該商品には全世界で発売されているものもあり世界的なアイスクリーム市場の活性化をはかることも期待できる。
【００１２】
（２）前記鍔部は、前記辺が互いに対向し並行して延びる一対で設けられている（１）に記載の食品用容器のフタ。
【００１３】
（２）の構成によれば、（１）と同様の作用効果を奏する。
【００１４】
（３）一対の前記鍔部のうち、一方の前記鍔部の前記辺から突出し、前記食品用容器の外周に沿った形状の欠き込みが形成された突起と、一対の前記鍔部のうち、他方の前記鍔部の前記辺には、前記突起が挿入される孔が形成されている（２）に記載の食品用容器のフタ。
【００１５】
（３）の構成によれば、食品用容器の開口の縁と係合する食品用容器のフタを陳列する際に、Ｚ軸で並列する複数の食品用容器のフタはＺ軸で一対の鍔部の突起と鍔部の孔とが互いに係合することで同じくＺ軸に連なる辺とも係合して固定されるため、本発明の効果をさらに高めることができる。Ｚ軸で係合した一対の鍔部の突起と鍔部の孔の効果によりＸ軸とＹ軸においても食品用容器と食品用容器のフタのフェイスはそろえられる。
【００１６】
（４）食品用容器の底部に形成された食品用容器脚部が係合し、円形状に形成された溝を備える（１）から（３）のいずれかに記載の食品用容器のフタ。
【００１７】
（４）の構成によれば、ある食品用容器は、その食品用容器脚部が、当該食品用容器の直下に配置された食品用容器のフタの溝に係合する。これにより、水平方向のみならず、垂直方向においても、商品のフェイスがそろうため店頭での商品陳列が更に容易となる。
【発明の効果】
【００１８】
商品陳列スペースを削減するとともに、輸送コストを抑えることができ、商品を整列させることが容易な食品用容器のフタを提供できる。
【図面の簡単な説明】
【００１９】
【図１】本発明の実施形態に係る食品用容器のフタの平面図である。
【図２】本発明の実施形態に係る食品用容器のフタの使用状態を示す図である。
【図３】本発明の実施形態に係る食品用容器のフタの断面図である。
【図４】本発明の実施形態に係る食品用容器のフタの使用状態を示す図である。
【図５】本発明の実施形態に係る食品用容器のフタが適用される食品用容器を示す図である。
【図６】本発明の実施形態の変形例に係る食品用容器のフタを説明する図である。
【図７】本発明の実施形態の変形例に係る食品用容器のフタを説明する断面図である。
【発明を実施するための形態】
【００２０】
本発明の実施形態に係る食品用容器のフタ１の構成について説明する。
図１は、本発明の実施形態に係る食品用容器のフタの平面図である。
図２は、本発明の実施形態に係る食品用容器のフタの使用状態を示す図である。
図３は、本発明の実施形態に係る食品用容器のフタの断面図である。
図４は、本発明の実施形態に係る食品用容器のフタの使用状態を示す図である。
図５は、本発明の実施形態に係る食品用容器のフタが適用される食品用容器を示す図である。
図１から図５に示すように、食品用容器のフタ１は、アイスクリーム・ヨーグルト・ゼリー・プリン等円形の容器の開口部に設けられるフタである。
【００２１】
食品用容器のフタ１は、円形の開口を有し、食品用容器１００の開口の縁１１０と係合する円形の側縁５と、側縁５に連なり、側縁の外周５Ａにおける、ある点Ｐ１の接線である第１接線Ｌ１上で延びる辺１１を有する鍔部１０と、を備える。鍔部１０は、第１接線Ｌ１と直交し、側縁５の外周５Ａにおける、その他の点Ｐ２，Ｐ３の接線である第２接線Ｌ２及び第３接線Ｌ３の間に形成されている。
【００２２】
鍔部１０は、辺１１が互いに対向し並行して延びる一対で設けられている。
なお、鍔部１０は、辺１１が互いに対向し並行して延びる一対を複数設けてもよい。この場合食品容器のフタ１の形状は四角形の他、多角形となり、本発明の作用効果をさらに高める。なお、本実施形態では、鍔部１０は、一対で１か所だけ設けてもよい。鍔部１０の辺１１は、フタ１の表面に印刷される商品名・種類の文字列の向きと平行して延びる。本実施形態では、樹脂製素材の食品容器のフタを例に説明したが、これに限らず、本発明は、紙製の食品容器のフタなど他の素材を用いた食品容器のフタにも適用できる。
【００２３】
また、食品用容器のフタ１は、更に、食品用容器１００の底部に形成された食品用容器脚部１２０が係合し、円形状に形成された溝１２と、を備える。
【００２４】
溝１２は、食品用容器１００の底部に形成された食品用容器脚部１２０と係合し、陳列の乱れを補う。溝１２と食品用容器脚部１２０と係合しうることで正面に向けたフェイスが固定される。辺１１によって揃えられたフェイスを恒常的に保つ役割をする。
【００２５】
このように、食品用容器のフタ１によれば、側縁の外周５Ａにおいて、直線の一辺または二辺の辺１１を持たせ、溝１２を形成することで、積み上げて陳列してもＸＹＺ軸でフタのフェイスが揃う。これにより、商品名・種類がわかりやすくなり、販売のチャンスロスを回避することができる。
【００２６】
次に、本発明の実施形態の変形例に係る食品用容器のフタ１Ａを説明する。以下の説明では、同一の構成には、同一の符号を付し、その説明を省略する。
図６は、本発明の実施形態の変形例に係る食品用容器のフタ１Ａを説明する図である。
図７は、本発明の実施形態の変形例に係る食品用容器のフタ１Aを説明する断面図である。
【００２７】
実施形態の変形例に係る食品用容器のフタ１Ａは、実施形態に係る食品用容器のフタ１とは、鍔部２０の構成が異なる。鍔部２０は、辺１１が互いに対向し並行して延びる一対で設けられている。一対の鍔部２０のうち、一方の鍔部２０には、辺１１から突出し、食品用容器１Ａの外周５Ａに沿った形状の欠き込みが形成された突起１０Ａが形成されている。一対の鍔部２０のうち、他方の鍔部２０の辺１１には、突起１０Ａが挿入される孔１０Ｂが形成されている。食品用容器１００を陳列する際に、Ｚ軸で並列する複数の食品用容器のフタ１ＡはＺ軸で一対の鍔部２０の突起１０Ａと鍔部２０の孔１０Ｂとが互いに係合することで同じくＺ軸に連なる辺１１とも係合して固定されるため、本発明の効果をさらに高めることができる。Ｚ軸で係合した一対の鍔部２０の突起１０Ａと孔１０Ｂの効果によりＸ軸とＹ軸においても食品用容器１００と食品用容器のフタ１Ａのフェイスはそろえられる。
【符号の説明】
【００２８】
１  食品用容器のフタ
１A食品用容器のフタ変形例
５  側縁
５Ａ  側縁外周
１１  辺
１０，２０  鍔部
１０Ａ鍔部突起
１０Ｂ鍔部孔
１２  溝
１００  食品用容器
１１０  開口
１２０  食品用容器脚部
【図１】
2015044597.tif 000003
【図２】
2015044597.tif 000004
【図３】
2015044597.tif 000005
【図４】
2015044597.tif 000006
【図５】
2015044597.tif 000007
【図６】
2015044597.tif 000008
【図７】
2015044597.tif 000009